(57)【要約】      （修正有）【課題】様々な粒状製品を対象とした、粒状体の色によって粒状体を選別する電子選別機に使用される新規な生産フロー調節可能な供給ベルトコンベヤーによる流量調節器を提供。【解決手段】流量調節器は、選別すべき粒状体を収納するホッパー２と、読み取り用光学式電子センサー８付きの出口６まで粒状体を搬送する搬送・供給シュート５へ粒状体を搬送する供給ベルトコンベヤー４を駆動するモーター３と、色によって粒状体を選別し、選別用発射ノズル９付きイジェクター空気弁７を作動させる読み取りカメラによって構成される。【選択図】図１
0003140956.tif 000002
【実用新案登録請求の範囲】
【請求項１】
選別すべき粒状体を収納するホッパー（2）と、読み取り用光学式電子センサー（8）付きの出口（6）まで粒状体を搬送する搬送・供給シュート（5）へ粒状体を搬送する供給ベルトコンベヤー（4）を駆動するモーター（3）と、色によって粒状体を選別し、選別用発射ノズル（9）付きイジェクター空気弁（7）を作動させる読み取りカメラによって構成されることを特徴とする、生産フロー調節可能な供給ベルトコンベヤーによる流量調節器。
【請求項２】
光学式センサーセットにより、色により粒状体を選別するために、出口（6）まで粒状体を搬送する搬送・供給シュート（5）へ粒状体を搬送する供給ベルトコンベヤー（4）が粒状体を搬送供給シュートへ向け搬送することを特徴とする、生産フロー調節可能な供給ベルトコンベヤーによる流量調節器。
【請求項３】
モーター付き供給ベルトコンベヤー（4）が機械（1）の生産フローにおいて量調節・供給装置として使用されることを特徴とする、生産フロー調節可能な供給ベルトコンベヤーによる流量調節器。
【請求項４】
モーター駆動の供給ベルトコンベヤー（4）がホッパー（2）の粒状体を搬送シュート（5）まで移送し、整列させ、出口（6）まで搬送し、光学式電子読み取りセンサー（8）セットによる読み取りが行われることを特徴とする、生産フロー調節可能な供給ベルトコンベヤーによる流量調節器。
【請求項５】
供給ベルトコンベヤー（4）がスピードの増減によって制御されることを特徴とする、生産フロー調節可能な供給ベルトコンベヤーによる流量調節器。
【請求項６】
搬送シュート（5）が粒状体を整列した状態で受け、出口（6）まで搬送し、選別機（1）の読み取り用光学式電子センサー（8）セットによる読み取りが行われることを特徴とする、生産フロー調節可能な供給ベルトコンベヤーによる流量調節器。
【請求項７】
読み取りカメラ（10）の光学式電子センサー（8）セットが選別用発射ノズル（9）付きイジェクター空気弁（7）を作動させることにより色により粒状体を選別することを特徴とする、生産フロー調節可能な供給ベルトコンベヤーによる流量調節器。
【請求項８】
供給ベルトコンベヤー（4）がシュート（5）の線状供給と供給量調節を可能にすることを特徴とする、生産フロー調節可能な供給ベルトコンベヤーによる流量調節器。
【請求項９】
供給ベルトコンベヤー（4）が搬送供給シュート（5）における粒状体供給と量調節をスムースに行うことを可能にすることを特徴とする、生産フロー調節可能な供給ベルトコンベヤーによる流量調節器。
【考案の詳細な説明】
【技術分野】
【０００１】
本実用新案は、様々な粒状製品を対象とした、粒状体の色によって粒状体を選別する電子選別機に使用される新規流量調節器に関する。上記流量調節器は電子機械工業が製造するもので、農業関連産業やその他の粒状体工業に使用される。
【背景技術】
【０００２】
従来、粒状物体、特に米、コーヒー、グリーンピース、レンズマメ、コーン、小麦、エンバク、ダイズなどの穀物、その他各種粒状製品を色によって選別する電子選別機は、基本的に5 つの段階、すなわち供給ホッパー、振動シュート付き電磁振動機（流量調節器）、搬送シュート、光学式読み取り電子カメラ、イジェクター弁によって構成されることで知られる。
【０００３】
ホッパーは、粒状体の電子的選別工程開始のために、機械に入れる粒状体を収納するために使用され、上記粒状体は振動シュート付き電磁振動機によって供給され、次いで傾斜した搬送シュートを介して落下する。読み取りカメラの二つの光学式読み取り電子装置間の一定の等距離の位置を通過するとき、複雑な電子装置が粒状体の色を分析する。
【０００４】
粒状体の分析後、機械は自動的に、どの粒状体を撥ねるかを決定する。この調節は機械運転者が行い、機械は機械の設定に基づき、色により欠陥品とされるものを電子空圧イジェクター弁によって、粒状体の流れから除去する。
【０００５】
従来、この種の機械は基本的に供給ホッパー、振動シュート付き電磁振動機、ベルトコンベヤー、光学式読み取り電子カメラ、イジェクター弁によって構成されていた。
【０００６】
また、従来の機械と異なる点は、機械における粒状体の搬送および近代的な電子システムである。
【０００７】
従来、これらの機械は粒状体の供給と流量調節のための振動シュート付き電磁振動機を備えているが、粒状体の搬送は、以前はベルトコンベヤーで行われていたが、現在では搬送シュートで行われる。色による粒状体の電子選別機は選別にかける粒状体の搬送にベルトを使用しており、搬送シュートを使用する現在の機械と比較すると、近代的な技術であるという以外にも、光学式読み取り電子カメラの中心を通る粒状体の速度においても異なる。
【０００８】
ベルトコンベヤーを使用する、色による電子粒状体選別機は、範囲が限定されている。なぜなら、粒状体が光学式読み取り電子カメラを通過するとき、生産量を増やすべくベルトコンベヤーのスピードを上げることができないからである。というのは、ベルトコンベヤーのスピードを変化させると、対象の粒状体がカメラの読み取り中枢から外れ、機械の分析システム全体に支障が生じる。この種の機械は他の応用においても範囲が限定される。なぜなら、生産量を増すことができるのは振動シュート付き電磁振動機によってのみ可能であり、ベルトコンベヤーの速度は一定しなければならず、変動があってはならないからである。
【０００９】
搬送シュートを使用する、色による電子粒状体選別機により、光学式読み取り電子カメラを通る粒状体のスピードは速くなった。
【００１０】
ベルトコンベヤーを搬送シュートに替えることにより、粒状体のスピードが上がり、機械の生産性がアップする。
【００１１】
搬送シュートは、粒状体が機械の読み取りカメラを通過するときにスピードが上がるように、引力を利用する形で傾斜をつけて固定される。それでも、依然として機械の生産量の調節は振動シュート付き電磁振動機によって行われている。
【考案の開示】
【考案が解決しようとする課題】
【００１２】
振動シュート付き電磁振動機は、機能及び生産量調節の範囲が限られている。振動機のコイルに電源を供給するパルス電子回路によって、同じくパルス磁界が作られ、これが振動機の振動シュートを水平方向に前後に動かす。振動シュートの動作によって機械の生産量の調節が行われる。振動シュートのパルス周波数によって供給量が増減する。すなわち、運転者の設定に従い、生産量は製品中の、色によって識別される欠陥品の比率に応じて、あるいは機械の能力限界に応じて増減する。
【００１３】
この種の振動シュートによるパルス調節において各種改善がなされているが、パルス調節システムの電子粒状体選別機の供給には、水平方向の前後動作が使用され、製品の塊（小ロット）を搬送シュートによる搬送初期段階のところで作り、読み取りカメラの光学式電子装置による読み取りのために放出する。これらの固まりは、一定のレベルの生産ではカメラの光学式電子装置による読み取りを困難にし、したがって生産や機械の選別精度を制限し、廃棄物の量、すなわち機械が撥ねる粒状体の比率を上げる。
【課題を解決するための手段】
【００１４】
前述の問題を解決し、より実用的で性能のよい供給量調節器を提供するために、発明者は鋭意検討の末、電子粒状体選別機の供給において、振動機でパルス振動させられた製品が塊になることを防ぐことを目的とする本考案にたどり着き、新規供給量調節器を開発するに至った。
【００１５】
本考案のもう一つの新規性は、従来のパルス式電磁振動機の代わりに、機械の生産フローにおける供給装置かつ供給量調節器として使用されるモーター駆動の供給ベルトコンベアーを使用することにある。
【考案を実施するための最良の形態】
【００１６】
本考案に係る装置は、別添の図の詳細な説明によりさらに良く理解でき、下記の符号と併せるとさらに分かりやすくなる。
【００１７】
本考案は、すでに述べたとおり、選別すべき粒状体を収納するホッパー（2）と、読み取り用光学式電子センサー（8）付きの出口（6）まで粒状体を搬送する搬送・供給シュート（5）へ粒状体を搬送する供給ベルトコンベヤー（4）を駆動するモーター（3）と、色によって粒状体を選別し、選別用発射ノズル（9）付きイジェクター空気弁（7）を作動させる読み取りカメラによって構成されることを特徴とする。
【００１８】
搬送シュート（5）は粒状体を受け、出口（6）から放出されるまで整列状態で搬送し、そこで読み取り用電子光学式センサー（8）のセットにより読み取りが行われる。
【００１９】
モーター駆動の供給ベルトコンベヤー（4）は機械（1）の生産フローの供給量調節と供給機として使用され、ホッパー（2）の粒状体を搬送シュート（5）まで移送し、搬送シュートはこれら粒状体を受け（図2 の拡大部分）、整列させ、出口（6）まで搬送し、選別機（1）の読み取り用光学式電子センサー（8）セットによる読み取りが行われる。
【００２０】
供給ベルトコンベヤー（4）による電子システムにより、機械（1）の生産量は電磁振動機（図示せず）のパルスの周波数上昇によってではなくモーター付き供給ベルトコンベヤー（4）のスピードの増減によって制御される。
【００２１】
供給ベルトコンベヤー（4）による機械（1）の供給と供給量調節は線状に行われ、搬送シュート上に粒状体の塊ができて機械（1）の読み取りカメラ（10）の光学式電子センサー（8）による読み取りに直接干渉し、損なうということがない。
【図面の簡単な説明】
【００２２】
【図１】詳細を示すために一部拡大して示し、入り口から機械の出口の光学式センサーによる選別までの粒状体の行程を矢印で示す供給量調節器の側面全体図。
【図２】シュートにおける粒状体の整列状態及び行程の詳細を示すために一部拡大して点線及び矢印で示す供給量調節器の側面全体図。
【符号の説明】
【００２３】
２      ホッパー
３      モーター
４      供給ベルトコンベヤー
５      搬送・供給シュート
６      搬送・供給シュート出口
７      イジェクター空気弁
８      光学式電子センサー
９      選別用発射ノズル
【図１】
0003140956.tif 000003
【図２】
0003140956.tif 000004